(57)【要約】【課題】  長さの微調整が可能で、身体にフィットさせるのが容易な背負い鞄用肩ベルトの提供。【解決手段】  上ベルト３と中間ベルト４と下ベルト５とを備え、中間ベルト４と下ベルト５とを連結具６にて長さ調節可能に連結する一方、上ベルト３にコード巻取り装置８を備え、コード巻取り装置８と中間ベルト４とをコード７，７で連結してあり、連結具６とコード巻取り装置８の少なくとも２箇所で長さ調節し得ることを特徴とする。【選択図】      図１
2019198629.tif 000002
【特許請求の範囲】
【請求項１】
上ベルトと中間ベルトと下ベルトとを備え、中間ベルトと下ベルトとを連結具にて長さ調節可能に連結する一方、上ベルトにコード巻取り装置を備え、コード巻取り装置と中間ベルトとをコードで連結してあり、連結具とコード巻取り装置の少なくとも２箇所で長さ調節し得ることを特徴とする背負い鞄用肩ベルト。
【請求項２】
上ベルトと下ベルトとを備え、上ベルトにコード巻取り装置を備え、コード巻取り装置と下ベルトとをコードで連結してあり、下ベルトは、背負い鞄に設けたベルト取付具に対して長手方向に位置を調整して取付け自在であることを特徴とする背負い鞄用肩ベルト。
【請求項３】
請求項１又は２に記載の背負い鞄用肩ベルトを備えることを特徴とする背負い鞄。
【発明の詳細な説明】
【技術分野】
【０００１】
本発明は、背負い鞄用肩ベルトと、その肩ベルトを備える背負い鞄に関する。
【背景技術】
【０００２】
広く一般に知られている背負い鞄として、ハイキングや登山等で使用するリュックサックと、小学校入学から卒業するまでの６年間に渡り使用するランドセルが知られている。以下、ランドセルを対象にして説明する。
従来のランドセルの肩ベルトは、上紐部と下紐部とで構成され、下紐部の先端部にはピンバックルが設けてあり、上紐部にはピンバックルのピンを挿通するための挿通孔が長手方向に間隔をおいて設けてあり、上紐部の下部をピンバックルに通し、ピンバックルのピンを上紐部に設けた複数の挿通孔の何れかに挿通することで、身体の成長に合わせて長さが調節できるようになっている（例えば、特許文献１参照。）。
【０００３】
小学生の平均身長（男子）は、２０１５年の調査によれば、６歳で１１６．５ｃｍ、１１歳で１４５．２ｃｍであり、６年間で２８．７ｃｍも成長していることになる。
従来肩ベルトの長さを小学生の成長に合わせて調節する場合、ランドセルを身体から外した状態で、しかも上紐部に設けたピン挿通孔の穿設間隔ごとにしか調節できなかった。そのために、気温の低い出校時には厚着し、暖かくなった日中に下校する場合、着ていた衣服の一部を脱ぐこともあるが、そのときには肩ベルトが身体にフィットしなくなることもあった。
【先行技術文献】
【特許文献】
【０００４】
【特許文献１】特開２０１７−１８９３４７号公報
【発明の概要】
【発明が解決しようとする課題】
【０００５】
本発明は以上に述べた実情に鑑み、長さの微調整が可能で、身体にフィットさせるのが容易な背負い鞄用肩ベルトと、その肩ベルトを備える背負い鞄の提供を目的とする。
【課題を解決するための手段】
【０００６】
上記の課題を達成するために請求項１記載の発明による背負い鞄用肩ベルトは、上ベルトと中間ベルトと下ベルトとを備え、中間ベルトと下ベルトとを連結具にて長さ調節可能に連結する一方、上ベルトにコード巻取り装置を備え、コード巻取り装置と中間ベルトとをコードで連結してあり、連結具とコード巻取り装置の少なくとも２箇所で長さ調節し得ることを特徴とする。
【０００７】
請求項２記載の発明による背負い鞄用肩ベルトは、上ベルトと下ベルトとを備え、上ベルトにコード巻取り装置を備え、コード巻取り装置と下ベルトとをコードで連結してあり、下ベルトは、背負い鞄に設けたベルト取付具に対して長手方向に位置を調整して取付け自在であることを特徴とする。
【０００８】
請求項３記載の発明による背負い鞄は、請求項１又は２に記載の背負い鞄用肩ベルトを備えることを特徴とする。
【発明の効果】
【０００９】
請求項１記載の発明による背負い鞄用肩ベルトは、上ベルトと中間ベルトと下ベルトとを備え、中間ベルトと下ベルトとを連結具にて長さ調節可能に連結する一方、上ベルトにコード巻取り装置を備え、コード巻取り装置と中間ベルトとをコードで連結してあり、連結具とコード巻取り装置の少なくとも２箇所で長さ調節し得るので、連結具により中間ベルトと下ベルトの間で大まかに肩ベルトの長さを調節してから背負い鞄を背中に担ぎ、コード巻取り装置を操作して肩ベルトの長さを微調整することができる。その結果、子供の成長に合わせて、さらには衣服の着用状態に合わせて、背負い鞄を容易に身体にフィットさせられる。
【００１０】
請求項２記載の発明による背負い鞄用肩ベルトは、上ベルトと下ベルトとを備え、上ベルトにコード巻取り装置を備え、コード巻取り装置と下ベルトとをコードで連結してあり、下ベルトは、背負い鞄に設けたベルト取付具に対して長手方向に位置を調整して取付け自在であるので、下ベルトとベルト取付具の間で大まかに肩ベルトの長さを調節してから背負い鞄を背中に担ぎ、コード巻取り装置を操作して肩ベルトの長さを微調整することができる。その結果、子供の成長に合わせて、さらには衣服の着用状態に合わせて、背負い鞄を容易に身体にフィットさせられる。
【００１１】
請求項３記載の発明による背負い鞄は、請求項１又は２に記載の背負い鞄用肩ベルトを備えることで、肩ベルトの長さを中間ベルトと下ベルトの間の連結具か、又は下ベルトとベルト取付具の間で調節できることに加え、背負い鞄を背中に担いだ状態でコード巻取り装置を操作することで、肩ベルトの長さを微調整することができる。その結果、背負い鞄を常に身体にフットさせることが容易になった。
【図面の簡単な説明】
【００１２】
【図１】本願発明に係る背負い鞄用肩ベルト（右肩用）の第１実施形態を示す正面図である。
【図２】同肩ベルトを備えるランドセルの背面図である。
【図３】（ａ）は同肩ベルトの要部を拡大して示す正面図であり、（ｂ）は同肩ベルトの要部を拡大して示す側面図であり、コード巻取り装置を操作して肩ベルトの長さを短くするときの状態を示している。
【図４】（ａ）は同肩ベルトの要部を拡大して示す正面図であり、（ｂ）は同肩ベルトの要部を拡大して示す側面図であり、コード巻取り装置のロックを解除して肩ベルトの長さを長くするときの状態を示している。
【図５】本願発明に係る背負い鞄用肩ベルト（右肩用）の第２実施形態を示す正面図である。
【図６】図５のＡ−Ａ断面図である。
【図７】本願発明に係る背負い鞄用肩ベルト（右肩用）の第３実施形態を示す正面図である。
【図８】（ａ）は同肩ベルトが取付けられる背負い鞄（ランドセル）の底面図であり、（ｂ）は側面図である。
【発明を実施するための形態】
【００１３】
以下、本発明の実施の形態を図面に基づいて説明する。図１〜４は、本発明の背負い鞄用肩ベルト２及び背負い鞄の第１実施形態であって、ランドセル１に適用したものを示している。本ランドセル１は、図２に示すように、背負い側に左右一対の肩ベルト２，２を備えている。各肩ベルト２は、上端部がランドセル１の背板１０の上部に設けた背環１１の揺動アーム１２に取付けられ、下端部がランドセル１の底面に設けたダルマ環１３に取付けてある。
【００１４】
図１，３は、本ランドセル１の右肩用の肩ベルト２を示している。本肩ベルト２は、上ベルト３と中間ベルト４と下ベルト５の３つのパーツで構成されている。
上ベルト３は、図１に示すように、上端部に背環１１の揺動アーム１２に取付けるための連結環１４が設けてある。連結環１４は、鋲１５で上ベルト３に固定されており、連結環１４を揺動アーム１２に取付けると、図２に示すように、肩ベルト２の付け根が上向きに保持されるようになっている。上ベルト３は、図３に示すように、表パーツ１６と裏パーツ１７を重ねて構成してある。表パーツ１６と裏パーツ１７は、上端から中間部１８までがほぼ同じ幅で形成され、そのほぼ同じ幅の部分では表パーツ１６と裏パーツ１７を縫合してある。表パーツ１６の中間部１８より下側は、両側からえぐって裏パーツ１７よりも幅が細くなっており、下部に一定幅の帯状の案内部９が形成されている。この表パーツ１６の幅が細くなった中間部１８より下側の部分は、裏パーツ１７と縫合されておらず、案内部９の下端部が鋲１９で裏パーツ１７と固定してある。上ベルト３の下端部には、中間ベルト４の上部が挿通される筒状部２０が設けてある。
表パーツ１６の中間部の表面には、コード巻取り装置８が設けてあり、コード巻取り装置８から下方に向けてコード７，７が無端状にのびている。コード７，７は、図３に示すように、表パーツ１６に設けた孔３３，３３を通して表パーツ１６の裏側に導かれ、その先端を案内部９の裏側で中間ベルト４の上端部に設けたリング２１に結わえ付けてある。
【００１５】
中間ベルト４は、図１，３に示すように、上端部にリング２１を備え、該リング２１にコード７の先端を結び付け、中間部より下側に複数のピン挿通孔２４を長手方向に一定間隔で貫通している。
中間ベルト４は、上部を上ベルト３の筒状部２０に通し、上ベルト３の表側に重ねてあり、リング２１に上ベルト３の案内部９を通し、案内部９の裏側でリング２１にコード７の先端を結わえ付けてある。したがって、案内部９に中間ベルト４のコード７接続部が隠れている。
【００１６】
下ベルト５は周知の如く、図１に示すように、上端部にピンバックル６（連結具）を備え、下端部にランドセル１の底面に取付けたダルマ環１３に連結するための連結環２２を備えており、ピンバックル６に中間ベルト４の下部側を通し、ピンバックル６のピン２３を中間ベルト４の複数のピン挿通孔２４のうちの何れかに選択的に挿通することで、中間ベルト４と下ベルト５の間で肩ベルト２の長さを一定間隔で調節することができる。
【００１７】
上ベルト３に設けられるコード巻取り装置８は、図３に示すように、上ベルト３に固定されるベース２５と、ダイヤル２６を備え、内部にはコード７，７を巻き取るためのリール、リールの回転を規制するラチェット機構等を備えている。ダイヤル２６は、ラチェット機構が働いている状態では、一定の方向（右肩ベルト用は、図中の矢印２７に示す時計方向。左肩ベルト用は、反時計方向）にのみ回転できるようになっており、その方向にダイヤル２６を手で回すと、内蔵するリールがダイヤル２６と共に回転して、図中の矢印２８に示すようにコード７，７がコード巻取り装置８に巻き取られる。すると、中間ベルト４がコード７，７によって引っ張られて、図中の矢印２９に示すように上に引き上げられ、上ベルト３と中間ベルト４の間で肩ベルト２の長さが短くなる。
またダイヤル２６を、図４（ｂ）の矢印３２に示すように手前に引っ張ると、ラチェット機構によるダイヤル２６とリールの回転規制が解除され、図中の矢印３０に示すように中間ベルト４を手で掴んで下に引っ張ると、図中の矢印３１に示すようにコード７，７がコード巻取り装置８から引き出され、上ベルト３と中間ベルト４の間で肩ベルト２の長さが長くなる。
【００１８】
このようなコード巻取り装置８は、靴紐の巻取り装置として実用化・市販されているものであり、例えばボアテクノロジー社が製造販売しているＢｏａ（登録商標）、株式会社ジャパーナが製造販売しているＴＧＦ（登録商標）などを用いることができる。なお、このようなコード巻取り装置の内部構造は、例えば特開２０１５−２９３号公報などに開示されている。
コード７は、必要な強度と耐久性を備えるものであれば材質は問わないが、例えば、合成繊維製のロープ、プラスチック製のコード、金属製のワイヤー等を用いることができる。
【００１９】
本ランドセル１は、ピンバックル６により肩ベルト２，２の長さを大まかに調整してから背中に担ぎ、左右の肩ベルト２，２のコード巻取り装置８のダイヤル２６を操作して肩ベルト２，２の長さを微調整する。これにより、肩ベルト２，２を身体にぴったりフィットさせることができる。
担いでいたランドセル１を身体から下ろすときは、コード巻取り装置８のダイヤル２６を手前に引張り、ラチェット機構を解除すれば、中間ベルト４を下に引き下げ、肩ベルト２の長さを伸ばすことができるので、容易にランドセル１を下ろすことができる。
【００２０】
以上に述べたように、本ランドセル１の肩ベルト２は、上ベルト３と中間ベルト４と下ベルト５とを備え、中間ベルト４と下ベルト５とをバックル６にて連結する一方、上ベルト３にコード巻取り装置８を備え、コード巻取り装置８と中間ベルト４とをコード７，７で連結してあり、バックル６とコード巻取り装置８の２箇所で長さ調節し得るので、バックル６で大まかに肩ベルト２の長さを調節してからランドセル１を背中に担ぎ、コード巻取り装置８を操作して肩ベルト２の長さを微調整することで、容易に身体にフィットさせられる。
さらに、上ベルト３に中間ベルト４の上部を長手方向に沿って案内する案内部９を有しているので、コード巻取り装置８を操作してコード７，７を巻き取ると、肩ベルト２の長さ調整が引っ掛かりなくスムーズに行える。さらに、案内部９に中間ベルト４のコード７接続部が隠れていることで、コード７，７をすれにくくできる。
本ランドセル１は、このような肩ベルト２を備えることで、肩ベルト２の長さを微調整することができるので、身体にフットさせるのが容易である。
【００２１】
図５，６は、本発明の背負い鞄用肩ベルトの第２実施形態を示している。本肩ベルト２は、下ベルト５の上部にバックル６を設ける代わりに、２本のギボシ３４，３４（連結具）を中間ベルト４のピン挿通孔２４と同じピッチで設けてある。また、下ベルト５には、ギボシ３４，３４の上下２箇所にベルト通し３８，３８が設けてある。
本肩ベルト２は、図６に示すように、ギボシ３４，３４を中間ベルト４に設けてある複数のピン挿通孔２４，２４，…のうちの何れかの隣り合う２箇所に挿入することで、肩ベルト２の長さを一定間隔で調節することができる。それ以外の点は、第１実施形態と同様である。
【００２２】
第２実施形態の肩ベルト２は、ギボシ３４，３４の位置を調整することで大まかに肩ベルト２の長さを調節してからランドセル１を背中に担ぎ、コード巻取り装置８を操作して肩ベルト２の長さを微調整することができ、これにより肩ベルト２を容易に身体にフィットさせられる。
【００２３】
図７，８は、本発明の背負い鞄用肩ベルト２及び背負い鞄（ランドセル）１の第３実施形態を示している。本肩ベルト２は、上ベルト１と下ベルト３５の２つのパーツで構成されている。下ベルト３５は、第１・第２実施形態の中間ベルト４に相当するものであり、上ベルト３と下ベルト３５とがコード７，７にて連結され、上ベルト３にコード巻取り装置８を備えている。また、下ベルト３５には、複数のピン挿通孔２４，２４，…が等間隔で設けてある。
【００２４】
図８に示すように、ランドセル１底面に設けたダルマ環１３には、ベルト取付具３６が連結環２２で連結して設けてある。ベルト取付具３６は、２本のギボシ３４，３４が下ベルト３５のピン挿通孔２４と同じピッチで設けてあると共に、カバー３７が開閉自在に設けてある。下ベルト３５は、複数のピン挿通孔２４，２４，…のうちの何れかの隣り合う２箇所にベルト取付具３６のギボシ３４，３４に挿入することで、ベルト取付具３６に対して一定間隔毎に長手方向に位置を調整して取付け自在である。
【００２５】
第３実施形態の肩ベルト２は、下ベルト３５とベルト取付具３６の間で大まかに肩ベルト２の長さを調節してから背負い鞄１を背中に担ぎ、コード巻取り装置８を操作して肩ベルト２の長さを微調整することができる。これにより肩ベルト２を容易に身体にフィットさせられる。
【００２６】
本発明は以上に述べた実施形態に限定されるものではなく、例えば、中間ベルト４の下端部にバックル６を設け、下ベルト５にピン挿通孔２４を長手方向に一定間隔で貫通することもできる。中間ベルトと下ベルトとを連結する連結具は、ピンバックルやギボシを用いたものに限らず、ピンバックル以外のバックル等、肩ベルト２の長さを調整できる種々の構造とすることができる。背負い鞄に設けられるベルト取付具は、ギボシを用いたものに限らず、ピンバックル等のバックルを用いたものとすることもできる。本発明の肩ベルトは、例えば、連結具とベルト取付具とコード巻取り装置を組み合わせるなどして、３箇所又はそれ以上の箇所で長さ調整し得るものとすることもできる。また、コード巻取り装置の具体的な構造は問わない。さらに、本発明は、ランドセル以外の背負い鞄、例えば、リュックサック、ナップサック、ショルダーバッグ等に適用することもできる。
【符号の説明】
【００２７】
１  ランドセル（背負い鞄）
２  肩ベルト
３  上ベルト
４  中間ベルト
５  下ベルト
６  ピンバックル（連結具）
７  コード
８  コード巻取り装置
９  案内部
３４  ギボシ（連結具）
３５  下ベルト
３６  ベルト取付具
【図１】
2019198629.tif 000003
【図２】
2019198629.tif 000004
【図３】
2019198629.tif 000005
【図４】
2019198629.tif 000006
【図５】
2019198629.tif 000007
【図６】
2019198629.tif 000008
【図７】
2019198629.tif 000009
【図８】
2019198629.tif 000010